(57)【要約】 【課題】種々の大型貨物の固定が、すなわち、その大型貨物の帯鋼止めやその大型貨物のアンカー・ボルト穴を利用するその大型貨物のボルト止めが、その大型貨物に適合して簡単で強固にでき、そして、それに伴って、その大型貨物の固定作業が短時間で可能になり、すなわち、その大型貨物を固定する作業時間が短縮され、また、大型貨物毎に固定箇所を設計変更する作業が省かれて種々の大型貨物の梱包に適用可能にする。 【解決手段】金網１７が、床板１６上に張られて固定され、そして、大型貨物３０、３１を固定可能にする。 【選択図】図１
2006069632.tif 000002
【特許請求の範囲】
【請求項１】
金網が、床板上に張られて固定され、そして、大型貨物を固定可能にするところの輸送コンテナーに用いる床構造。 
【請求項２】
その金網が、その床板上に前後方向に適宜の間隔を置いて配置される多数の横棒鋼と、左右方向に適宜の間隔でその多数の横棒鋼上に交差されて配置され、そして、その多数の横棒鋼に溶接される多数の縦棒鋼とで組み立てられる請求項１に記載の輸送コンテナーに用いる床構造。 
【請求項３】
その金網が、左右のサイド・フレーム・メンバーおよび前後のエンド・フレーム・メンバーで方形に枠組みされる金網枠と、前後方向に適宜の間隔を置いてその金網枠のその左右のサイド・フレーム・メンバー間に渡され、そして、その左右のサイド・フレーム・メンバーに溶接される多数の横棒鋼と、左右方向に適宜の間隔でその多数の横棒鋼上に交差されてその金網枠のその前後のエンド・フレーム・メンバー間に渡され、そして、その前後のエンド・フレーム・メンバーおよび多数の横棒鋼に溶接される多数の縦棒鋼とで組み立てられ、そして、その床板上に固定的に配置される請求項１に記載の輸送コンテナーに用いる床構造。 
【請求項４】
その金網が、その多数の横棒鋼およびその多数の縦棒鋼に異形棒鋼を用いる請求項２および３の何れかに記載の輸送コンテナーに用いる床構造。 
【請求項５】
金格子が、床板上に張られて固定され、そして、大型貨物を固定可能にするところの輸送コンテナーに用いる床構造。 
【請求項６】
その金格子が、その床板上に左右方向に適宜の間隔を置いて配置される多数の縦のリップ付き溝形鋼と、前後方向に適宜の間隔でその多数の縦のリップ付き溝形鋼上に交差されて配置され、そして、その多数の縦のリップ付き溝形鋼に溶接される多数の横のリップ付き溝形鋼とで組み立てられる請求項５に記載の輸送コンテナーに用いる床構造。 
【請求項７】
その金格子が、そのリップ付き溝形鋼に摺動可能にはめ合わせられてそのリップに引っ掛け可能にされるクランプ・プレートおよびそのクランプ・プレートに溶接されるボルトの組合せの複数を用い、そして、その複数のクランプ・プレートおよびボルトの組合せでその大型貨物を固定する請求項６に記載の輸送コンテナーに用いる床構造。 
【請求項８】
左右のボトム・サイド・レールおよび前後のボトム・エンド・レールで枠組みされる床枠と、前後方向に適宜の間隔を置いてその床枠のその左右のボトム・サイド・レールに固定的に組み付けられる複数の横はりと、左右方向に適宜の間隔でその複数の横はりに交差され、そして、その床枠のその前後のボトム・エンド・レールおよびその複数の横はりに固定的に組み付けられる複数の縦はりと、その床枠、横はり、および縦はり上に張られて固定される床板と、その床板上に張られて固定され、そして、大型貨物を固定可能にする金網とを含む輸送コンテナーに用いる床構造。 
【請求項９】
その金網が、その床板上に前後方向に適宜の間隔を置いて配置される多数の横棒鋼と、左右方向に適宜の間隔でその多数の横棒鋼上に交差されて配置され、そして、その多数の横棒鋼に溶接される多数の縦棒鋼とで組み立てられる請求項８に記載の輸送コンテナーに用いる床構造。 
【請求項１０】
その金網が、左右のサイド・フレーム・メンバーおよび前後のエンド・フレーム・メンバーで方形に枠組みされる金網枠と、前後方向に適宜の間隔を置いてその金網枠のその左右のサイド・フレーム・メンバー間に渡され、そして、その左右のサイド・フレーム・メンバーに溶接される多数の横棒鋼と、左右方向に適宜の間隔でその多数の横棒鋼上に交差されてその金網枠のその前後のエンド・フレーム・メンバー間に渡され、そして、その前後のエンド・フレーム・メンバーおよび多数の横棒鋼に溶接される多数の縦棒鋼とで組み立てられ、そして、その床板上に固定的に配置される請求項８に記載の輸送コンテナーに用いる床構造。 
【請求項１１】
その金網が、その多数の横棒鋼およびその多数の縦棒鋼に異形棒鋼を用いる請求項９および１０の何れかに記載の輸送コンテナーに用いる床構造。 
【請求項１２】
左右のボトム・サイド・レールおよび前後のボトム・エンド・レールで枠組みされる床枠と、前後方向に適宜の間隔を置いてその床枠のその左右のボトム・サイド・レールに固定的に組み付けられる複数の横はりと、左右方向に適宜の間隔でその複数の横はりに交差され、そして、その床枠のその前後のボトム・エンド・レールおよびその複数の横はりに固定的に組み付けられる複数の縦はりと、その床枠、横はり、および縦はり上に張られて固定される床板と、その床板上に張られて固定され、そして、大型貨物を固定可能にする金格子とを含む輸送コンテナーに用いる床構造。 
【請求項１３】
その金格子が、その床板上に左右方向に適宜の間隔を置いて配置される多数の縦のリップ付き溝形鋼と、前後方向に適宜の間隔でその多数の縦のリップ付き溝形鋼上に交差されて配置され、そして、その多数の縦のリップ付き溝形鋼に溶接される多数の横のリップ付き溝形鋼とで組み立てられる請求項１２に記載の輸送コンテナーに用いる床構造。 
【請求項１４】
その金格子が、そのリップ付き溝形鋼に摺動可能にはめ合わせられてそのリップに引っ掛け可能にされるクランプ・プレートおよびそのクランプ・プレートに溶接されるボルトの組合せの複数を用い、そして、その複数のクランプ・プレートおよびボルトの組合せでその大型貨物を固定する請求項１３に記載の輸送コンテナーに用いる床構造。 
【発明の詳細な説明】
【技術分野】
【０００１】
この発明は、輸送コンテナーに用いる床構造に関し、特に、大型貨物の輸送に用いる大型輸送コンテナーの床構造に関する。 
【背景技術】
【０００２】
通常、大型貨物、例えば、大きな製品や部品が自動車、鉄道や船舶で輸送される際、大型輸送コンテナーが用いられる。船積輸送の場合、その船積みのために積み重ねて屋外に置かれ、また、鉄道輸送の場合、常に風雨にさらされる状態に置かれるので、その大型輸送コンテナーでは、床構造が床枠、横はり、縦はり、および床板で組み立てられるので、その床構造上にその大型貨物をのせ、そして、その大型貨物に帯鋼を掛けてその帯鋼でその床構造にその大型貨物を固定する作業が非常に厄介になる。また、その大型貨物においてアンカー・ボルト穴が活用できる場合でもボルト止め作業が厄介でその床構造は大型貨物毎に固定箇所を変えて設計さねばならず、種々の大型貨物の梱包に適用させるのが難しい。 
【特許文献１】実開昭５８−１５９２９０号公報
【発明の開示】
【発明が解決しようとする課題】
【０００３】
この発明の課題は、種々の大型貨物の固定が、すなわち、その大型貨物の帯鋼止めやその大型貨物のアンカー・ボルト穴を利用するその大型貨物のボルト止めが、その大型貨物に適合して簡単で強固にでき、そしてそれに伴って、その大型貨物の固定作業が短時間で可能になり、また、大型貨物毎に固定箇所を設計変更する作業が省かれて種々の大型貨物の梱包に適用できるところの輸送コンテナーに用いる床構造の提供にある。 
【課題を解決するための手段】
【０００４】
この発明は、床板上に張られて固定され、そして、大型貨物を固定可能にするところの金網を備える。 
また、この発明は、床板上に張られて固定され、そして、大型貨物を固定可能にするところの金格子を備える。 
【発明の効果】
【０００５】
この発明では、種々の大型貨物の固定が、すなわち、その大型貨物の帯鋼止めやその大型貨物のアンカー・ボルト穴を利用するその大型貨物のボルト止めが、その大型貨物に適合して簡単で強固にでき、そして、それに伴って、その大型貨物の固定作業が短時間で可能になり、すなわち、その大型貨物を固定する作業時間が短縮され、また、大型貨物毎に固定箇所を設計変更する作業が省かれて種々の大型貨物の梱包に適用可能になる。 
【発明を実施するための最良の形態】
【０００６】
その金網が、その床板上に前後方向に適宜の間隔を置いて配置される多数の横棒鋼と、左右方向に適宜の間隔でその多数の横棒鋼上に交差されて配置され、そして、その多数の横棒鋼に溶接される多数の縦棒鋼とで組み立てられる。 
また、その金網が、左右のサイド・フレーム・メンバーおよび前後のエンド・フレーム・メンバーで方形に枠組みされる金網枠と、前後方向に適宜の間隔を置いてその金網枠のその左右のサイド・フレーム・メンバー間に渡され、そして、その左右のサイド・フレーム・メンバーに溶接される多数の横棒鋼と、左右方向に適宜の間隔でその多数の横棒鋼上に交差されてその金網枠のその前後のエンド・フレーム・メンバー間に渡され、そして、その前後のエンド・フレーム・メンバーおよび多数の横棒鋼に溶接される多数の縦棒鋼とで組み立てられ、そして、その床板上に固定的に配置される。そして、それら金網が、その多数の横棒鋼およびその多数の縦棒鋼に異形棒鋼を用いる。 
【０００７】
その金格子が、その床板上に左右方向に適宜の間隔を置いて配置される多数の縦のリップ付き溝形鋼と、前後方向に適宜の間隔でその多数の縦のリップ付き溝形鋼上に交差されて配置され、そして、その多数の縦のリップ付き溝形鋼に溶接される多数の横のリップ付き溝形鋼とで組み立てられる。そして、その金格子が、そのリップ付き溝形鋼に摺動可能にはめ合わせられてそのリップに引っ掛け可能にされるクランプ・プレートおよびそのクランプ・プレートに溶接されるボルトの組合せの複数を用い、そして、その複数のそのクランプ・プレートおよびボルトの組合せでその大型貨物を固定する。 
【０００８】
その床構造が、左右のボトム・サイド・レールおよび前後のボトム・エンド・レールで枠組みされる床枠と、前後方向に適宜の間隔を置いてその床枠のその左右のボトム・サイド・レールに固定的に組み付けられる複数の横はりと、左右方向に適宜の間隔でその複数の横はりに交差され、そして、その床枠のその前後のボトム・エンド・レールおよびその複数の横はりに固定的に組み付けられる複数の縦はりと、その床枠、横はり、および縦はり上に張られて固定される床板と、その床板上に張られて固定され、そして、大型貨物を固定可能にする金網とで組み立てられ、そして、その金網が、その床板上に前後方向に適宜の間隔を置いて配置される多数の横棒鋼と、左右方向に適宜の間隔でその多数の横棒鋼上に交差されて配置され、そして、その多数の横棒鋼に溶接される多数の縦棒鋼とで組み立てられ、また、その金網が、左右のサイド・フレーム・メンバーおよび前後のエンド・フレーム・メンバーで方形に枠組みされる金網枠と、前後方向に適宜の間隔を置いてその金網枠のその左右のサイド・フレーム・メンバー間に渡され、そして、その左右のサイド・フレーム・メンバーに溶接される多数の横棒鋼と、左右方向に適宜の間隔でその多数の横棒鋼上に交差されてその金網枠のその前後のエンド・フレーム・メンバー間に渡され、そして、その前後のエンド・フレーム・メンバーおよび多数の横棒鋼に溶接される多数の縦棒鋼とで組み立てられ、そして、その床板上に固定的に配置される。そして、それら金網が、その多数の横棒鋼およびその多数の縦棒鋼に異形棒鋼を用いる。 
【０００９】
その床構造が、左右のボトム・サイド・レールおよび前後のボトム・エンド・レールで枠組みされる床枠と、前後方向に適宜の間隔を置いてその床枠のその左右のボトム・サイド・レールに固定的に組み付けられる複数の横はりと、左右方向に適宜の間隔でその複数の横はりに交差され、そして、その床枠のその前後のボトム・エンド・レールおよびその複数の横はりに固定的に組み付けられる複数の縦はりと、その床枠、横はり、および縦はり上に張られて固定される床板と、その床板上に張られて固定され、そして、大型貨物を固定可能にする金格子とで組み立てられ、そして、その金格子が、その床板上に左右方向に適宜の間隔を置いて配置される多数の縦のリップ付き溝形鋼と、前後方向に適宜の間隔でその多数の縦のリップ付き溝形鋼上に交差されて配置され、そして、その多数の縦のリップ付き溝形鋼に溶接される多数の横のリップ付き溝形鋼とで組み立てられる。そしてさらに、その金格子が、そのリップ付き溝形鋼に摺動可能にはめ合わせられてそのリップに引っ掛け可能にされるクランプ・プレートおよびそのクランプ・プレートに溶接されるボルトの組合せの複数を用い、そして、その複数のクランプ・プレートおよびボルトの組合せでその大型貨物を固定する。 
【実施例１】
【００１０】
以下、この発明の輸送コンテナーに用いる床構造の特定された具体例について、図面を参照して説明する。図１は、船積輸送に活用されるところのこの発明の輸送コンテナーに用いる床構造の具体例１０を示している。その床構造１０は、左右のボトム・サイド・レール１２、１２および前後のボトム・サイド・レール１３、１３で枠組みされる床枠１１と、前後方向に適宜の間隔を置いてその床枠１１のその左右のボトム・サイド・レール１２、１２に固定的に組み付けられる複数の横はり１４、１４、１４と、左右方向に適宜の間隔でその複数の横はり１４、１４、１４に交差され、そして、その床枠１１のその前後のボトム・エンド・レール１３、１３およびその複数の横はり１４、１４、１４に固定的に組み付けられる複数の縦はり１５、１５と、その床枠１１、横はり１４、１４、１４、および縦はり１５、１５上に張られて固定される床板１６と、その床板１６上に張られて固定され、そして、大型貨物３０、３１をのせて帯綱３２、３２および３３、３３、３３でその大型貨物を固定する金網１７とで組み立てられる。 
【００１１】
その床枠１１は、その左右のボトム・サイド・レール１２、１２および前後のボトム・エンド・レール１３、１３が溝形綱から所定の長さに切断され、互いに両端で溶接され、そして、枠組みされるところの方形構造に組み立てられる。この場合、その左右のボトム・サイド・レール１２、１２および前後のボトム・エンド・レール１３、１３は、ウェブ２０に形成されるフランジ２１、２２を外側に向けてその方形床枠１１に互いに溶接され、そして、その方形床枠１１の周囲に上方および下方フランジ２１、２２を外向に形成する。その左右のボトム・サイド・レール１２、１２の上方フランジ２１は、船積の際、クレーンのワイヤ・ロープを引っ掛け可能にする。 
【００１２】
その金網１７は、左右のサイド・フレーム・メンバー２４、２４および前後のエンド・フレーム・メンバー２５、２５で方形に枠組みされる金網枠２３と、その金網枠２３において前後方向に適宜の間隔でその金網枠２３のその左右のサイド・フレーム・メンバー２４、２４間に渡され、そして、その左右のサイド・フレーム・メンバー２４、２４に溶接される多数の横棒綱２６と、その金網枠２３において左右方向に適宜の間隔でその多数の横棒綱２６上に交差されてその金網枠２３のその前後のエンド・フレーム・メンバー２５、２５間に渡され、そして、その前後のエンド・フレーム・メンバー２５、２５および多数の横棒綱２６に溶接される多数の縦棒網２７とで組み立てられ、そして、その床板１６上にその金網枠２３を溶接することによってその床板１６上に固定的に配置される。 
【００１３】
その金網枠２３は、その左右のサイド・フレーム・メンバー２４、２４および前後のエンド・フレーム・メンバー２５、２５が山形綱から所定の長さに切断され、互いに両端で溶接されて枠組みされるところの方形構造に組み立てられる。 
また、その多数の横棒綱２６および多数の縦棒網２７は、異形棒綱を用い、その多数の横棒綱２６は、両端でその金網枠２３のその左右のサイド・フレーム・メンバー２４、２４に、その多数の縦棒網２７は、両端でその金網枠２３のその前後のエンド・フレーム・メンバー２５、２５にそれぞれ溶接され、そして、その多数の縦棒網２７は、その多数の横棒綱２６に交差する適宜の箇所でその横棒綱２６に溶接されて網目構造に組み立てられる。 
【００１４】
次に、その床構造１０上にその大型貨物３０、３１をのせてその帯綱３２、３２および３３、３３、３３でその床構造１０上にその大型貨物３０、３１を固定する作業を説明する。先ず、その床構造１０がその大型貨物３０、３１の近くに置かれる。次いで、その大型貨物３０、３１が、その床構造１０のその金網１７上に適宜にのせられる。次に、その帯綱３２、３２が、その大型貨物３０の下においてその多数の横棒綱２６の内の数本の下にくぐらせられ、その大型貨物３０に巻き付けられててその帯綱３２、３２のそれぞれの両端が互いに止められる。そのようにして、その大型貨物３０は、その帯綱３２、３２でその金網１７上に簡単でしかも迅速に、そして、強固に固定される。一方、その帯綱３３、３３、３３が、その大型貨物３１の下においてその多数の縦棒網２７の内の数本の下にくくらせられ、その大型貨物３１に巻き付けられてその帯綱３３、３３、３３のそれぞれの両端が互いに止められる。そのようにして、その大型貨物３１は、その帯綱３３、３３、３３でその金網１７上に簡単でしかも迅速に、そして、強固に固定される。 
【００１５】
さらに、その大型貨物３０、３１がその床構造１０においてその金網１７上にのせられてその帯綱３２、３２および３３、３３、３３で同様に固定される。その後、左右の側壁（図示せず）および前後の端壁（図示せず）がその床構造１０上に固定的に立ち上げられて互いに連結され、そして、屋根（図示せず）が、その連結された側壁および端壁上にのせられて固定され、そして、輸送コンテナーに梱包組み立てされる。 
【００１６】
この床構造１０では、その金網１７がその床板１６上に張られて固定的に配置されるので、その大型貨物３０、３１はその金網１７上に適宜にのせられてからその帯綱３２、３２および３３、３３、３３でその金網１７に止められて、そして、その床構造１０上に固定される。その帯綱止めはその大型貨物３０、３１に適合して簡単でしかも迅速に、そして、強固にでき、そしてそれに伴って、その大型貨物３０、３１を固定する作業が簡単でその固定作業時間が短縮され、さらに、大型貨物３０、３１毎に固定箇所を設計変更する作業が省かれて種々の大型貨物の梱包に適用できてその床構造１０は大型貨物毎に製作される必要はなく経済的である。 
【実施例２】
【００１７】
図２ないし図４は、床板１６上に金格子４１を備えて船積輸送に活用されるところのこの発明の輸送コンテナーに用いる床構造の具体例４０を示している。その床構造４０は、左右のボトム・サイド・レール１２、１２および前後のボトム・エンド・レール１３、１３で枠組みされる床枠１１と、前後方向に適宜の間隔を置いてその床枠１１のその左右のボトム・サイド・レール１２、１２に固定的に組み付けられる複数の横はり１４、１４、１４と、左右方向に適宜の間隔でその複数の横はり１４、１４、１４に交差され、そして、その床枠１１のその前後のボトム・エンド・レール１３、１３およびその複数の横はり１４、１４、１４に固定的に組み付けられる複数の縦はり１５、１５と、その床枠１１、横はり１４、１４、１４および縦はり１５、１５上に張られて固定される床板１６と、その床板１６上に張られて固定され、そして、大型貨物５０を固定可能にする金格子４１とで組み立てられる。 
【００１８】
その金格子４１は、その床板１６上に左右方向に適宜の間隔を置いて配置される多数の縦のリップ付き溝形綱４２、４２、４２、４２と、前後方向に適宜の間隔でその多数の縦のリップ付き溝形綱４２、４２、４２、４２上に交差されて配置され、そして、その多数の縦のリップ付き溝形綱４２、４２、４２、４２に溶接される多数の横のリップ付き溝形綱４３、４３、４３、４３、４３、４３、４３とで組み立てられる。そして、その金格子４１は、その縦のリップ付き溝形綱４２にもその横のリップ付き溝形綱４３にも摺動可能にはめ合わせられてそのリップ４４、４４に引っ掛けられるクランプ・プレート４５と、そのクランプ・プレート４５のボルト穴（図示せず）に通されてそのクランプ・プレート４５に溶接されたボルト４６との組合せの４個を用い、そして、その４個のクランプ・プレート４５およびボルト４６の組合せでその大型貨物５０を固定する。 
【００１９】
次に、その床構造４０上にその大型貨物５０をのせ、そして、その大型貨物のアンカー・ボルト穴５１、５１、５１、５１を利用してその４個のクランプ・プレート４５および溶接ボルト４６の組合せでその床構造４０上にその大型貨物５０を固定する作業を説明する。先ず、その床構造４０がその大型貨物５０の近くに置かれる。次いで、そのクランプ・プレート４５および溶接ボルト４６の組合せが、予めナット４７でその大型貨物５０の４箇所のアンカー・ボルト穴５１、５１、５１、５１のそれぞれに仮に取り付けられているので、その大型貨物５０は、その金格子４１のその横のリップ付き溝形綱４３、４３の溝にそのクランプ・プレート４５をはめ込みながらその横のリップ付き溝形綱４３、４３上にのせられて位置決めされる。次に、そのクランプ・プレート４５、４５、４５、４５がその横のリップ付き溝形綱４３、４３、４３内にまわされて図３に示された位置にされ、そこで、そのナット４７が締め付けられてそのクランプ・プレート４５、４５、４５、４５がその横のリップ付き溝形綱４３、４３のリップ４４、４４および４４、４４に引っ掛けられる。そのようにして、その大型貨物５０は、そのアンカー・ボルト穴５１、５１、５１、５１を利用してその４個のクランプ・プレート４５および溶接ボルト４６の組合せおよびナット４７でその金格子４１上に簡単でしかも迅速に、そして、強固に固定される。 
【００２０】
さらに、複数の大型貨物（図示せず）が、その床構造４０においてその金格子４１上に適宜にのせられてそのクランプ・プレート４５および溶接ボルト４６の組合せおよびナット４７で同様に固定される。その後、左右の側壁（図示せず）および前後の端壁（図示せず）がその床構造４０上に固定的に立ち上げられて互いに連結され、そして、屋根（図示せず）が、その連結された側壁および端壁上にのせられて固定され、そして、輸送コンテナーに梱包組み立てられる。 
【００２１】
この床構造４０では、金格子４１がその床板１６上に張られて固定されるので、その大型貨物５０は、その金格子４１上に適宜にのせられてからそのアンカー・ボルト穴５１、５１、５１、５１を利用してそのクランプ・プレート４５および溶接ボルト４６の組合せおよびナット４７でその金格子４１に止められ、そして、その床構造４０上に固定される。そのアンカー・ボルト穴５１、５１、５１、５１を利用するボルト止めはその大型貨物５０に適合して簡単でしかも迅速に、そして、強固にでき、そしてそれに伴って、その大型貨物５０を固定する作業が簡単でその固定作業時間が短縮され、さらに、大型貨物５０毎に固定箇所を設計変更する作業が省かれて種々の大型貨物の梱包に適用できてその床構造４０は大型貨物毎に製作される必要はなく経済的である。 
【００２２】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。 
【産業上の利用可能性】
【００２３】
上述から理解されるように、この発明の輸送コンテナーに用いる床構造は、床板上に張られて固定され、そして、大型貨物を固定可能にするところの金網を備え、あるいはその床板上に張られて固定され、そしてその大型貨物を固定可能にするところの金格子を備えるので、この発明の輸送コンテナーに用いる床構造では、種々の大型貨物の固定が、すなわち、その大型貨物の帯鋼止めやその大型貨物のアンカー・ボルト穴を利用するその大型貨物のボルト止めが、その大型貨物に適合して簡単で強固にでき、そして、それに伴って、その大型貨物の固定作業が短時間で可能になり、すなわち、その大型貨物を固定する作業時間が短縮され、また、大型貨物毎に固定箇所を設計変更する作業が省かれて種々の大型貨物の梱包に適用可能になり、そして、経済的になり、その結果、自動車輸送、鉄道輸送、および船積輸送などに用いる大型輸送コンテナーにとって非常に有用で実用的である。 
【図面の簡単な説明】
【００２４】
【図１】床板上に金網を備え、そして、船積輸送に活用されるところのこの発明の輸送コンテナーに用いる床構造を示した分解斜視図である。
【図２】床板上に金格子を備え、そして、船積輸送に活用されるところのこの発明の輸送コンテナーに用いる床構造の具体例を示した分解斜視図である。
【図３】図２の３−３線に沿って示した断面図である。
【図４】クランプ・プレートおよび溶接ボルトの組合せを示した斜視図である。
【符号の説明】
【００２５】
１０    床構造 
１１    床枠 
１２    ボトム・サイド・レール 
１３    ボトム・エンド・レール 
１４    横はり 
１５    縦はり 
１６    床板 
１７    金網 
２０    ウェブ 
２１    上方フランジ 
２２    下方フランジ 
２３    金網枠 
２４    サイド・フレーム・メンバー 
２５    エンド・フレーム・メンバー 
２６    横棒綱 
２７    縦棒網 
３０    大型貨物 
３１    大型貨物 
３２    帯綱 
３３    帯綱 
４０    床構造 
４１    金格子 
４２    縦のリップ付き溝形綱 
４３    横のリップ付き溝形網 
４４    リップ 
４５    クランプ・プレート 
４６    ボルト（溶接） 
【図１】
2006069632.tif 000003
【図２】
2006069632.tif 000004
【図３】
2006069632.tif 000005
【図４】
2006069632.tif 000006